(57)【要約】      （修正有）【課題】手と前腕のマッサージ終了時に腕マッサージ部内の手と前腕を外部へスムーズ且つ容易に離脱可能な椅子型マッサージ機を提供する。【解決手段】座部２と背もたれ部４と一対の肘掛け部３と、肘掛け部に設けられ手と前腕の全てを覆う腕マッサージ部５とを有する椅子型マッサージ機１において、腕マッサージ部の後側には手と前腕を挿入可能な開口部を有し、腕マッサージ部は、上面部と上面部に接続されて外側に垂れ下がる外側面部からなる逆Ｌ字状とされている保持部材１０と、保持部材の内側に形成される空間部分を覆うカバー体１４とを有し、保持部材の上面部の内縁乃至は部位１３とカバー体の上縁とにより、前後方向に延び且つ略上方を向く切り欠き部１５が形成され、切り欠き部を介して腕マッサージ部内に挿入された手と前腕とが外部へ離脱可能とされている。【選択図】図１
2019063190.tif 000002
【特許請求の範囲】
【請求項１】
座部と、当該座部の後側に設けられた背もたれ部と、前記座部の左右方向の両側に前後方向に伸びるように設けられる一対の肘掛け部と、当該肘掛け部に設けられ、手と前腕の全てを覆って保持すると共にマッサージを可能とする腕マッサージ部とを有する椅子型マッサージ機において、
前記腕マッサージ部の後側には、前記手と前記前腕を挿入可能な開口部を有していて、
前記腕マッサージ部は、上面部と、当該上面部に接続されて外側に垂れ下がる外側面部からなる逆Ｌ字状とされている保持部材と、当該保持部材の内側に形成される空間部分を覆うカバー体とを有し、
前記保持部材の上面部の幅方向内縁乃至は前記内縁を幅方向内側に延長した部位と前記カバー体の上縁とにより、前後方向に延び且つ略上方を向く切り欠き部が形成され、前記切り欠き部を介して、前記腕マッサージ部内に挿入された前記手と前記前腕とが外部へ離脱可能とされている
ことを特徴とする椅子型マッサージ機。
【請求項２】
前記腕マッサージ部は、前記保持部材と前記カバー体とにより、前記手と前記前腕の全てを覆う筒状の部材とされている
ことを特徴とする請求項１に記載の椅子型マッサージ機。
【請求項３】
前記カバー体は、可撓性を有している部材で形成されていて、下縁が前記保持部材の外側面部の下縁側に接合されている
ことを特徴とする請求項１又は２に記載の椅子型マッサージ機。
【請求項４】
前記腕マッサージ部において、前記保持部材の上面部と外側面部及び前記カバー体の少なくとも一つ以上に、膨張・収縮可能なエアバッグが備えられている
ことを特徴とする請求項１〜３のいずれかに記載の椅子型マッサージ機。
【発明の詳細な説明】
【技術分野】
【０００１】
本発明は、肘掛け部に腕マッサージ部を備えた椅子型マッサージ機に関する。
【背景技術】
【０００２】
周知の如く、椅子型マッサージ機の技術分野においては、使用者の腕をマッサージ可能な腕マッサージ部を備えたものが既に開発されている（例えば、特許文献１など）。
【先行技術文献】
【特許文献】
【０００３】
【特許文献１】特許５００９４４５号公報
【発明の概要】
【発明が解決しようとする課題】
【０００４】
ところで、特許文献１は、座部の両側に夫々配設され、被施療者の腕部を部分的に覆って保持する一対の保持部を備えている。
この保持部は、その幅方向に切断して見た断面において被施療者の腕を挿入する開口が形成されていると共に、その内面に互いに対向する部分を有している。すなわち、保持部は、略Ｃ字状（コ字状）の断面形状を有し、腕部の外側を覆う略半円筒状に形成されたものである。
【０００５】
一対の保持部は、各々のコ字状の開口が横（真横）を向き、且つ開口同士が互いに対向するように配設されている。
しかしながら、特許文献１には、腕部に対して、マッサージを施術する上で、以下に述べる難点がある。
同文献の図１，２などを参照してもわかるように、保持部は、略半円筒状とされているので、腕部（前腕）の外側をマッサージすることが可能であるが、対向する内側（座部側）は開放状とされているので、腕部の内側をマッサージすることできない。
【０００６】
つまり、特許文献１は、腕部（前腕）を全体に亘って、効果的な押圧マッサージを施術できるものとはなっていない。
さらに、このような略半円筒状の保持部において、腕部のマッサージを実施した場合、保持部の内側は、開放状となっているので、エアバッグにより腕部が押されたとき、中途半端なホールド感しか得られず、またエアバッグの押し付け力により、開放側より腕部が完全に脱落してしまう虞があるなど、様々な不都合が生じる。
【０００７】
特許文献１は、上記したように、腕部のマッサージを実施する際において、難点を多々有するものであるので、良好なマッサージを付与することは全くできないと考えられる。
そこで、本発明は、上述の問題に鑑みてなされたものであり、手と前腕のマッサージ終了時において、腕マッサージ部内にされた手と前腕を、外部へスムーズ、且つ容易に離脱させることが可能な椅子型マッサージ機を提供することを目的とする。
【課題を解決するための手段】
【０００８】
上述した課題を解決するため、本発明では以下の技術的手段を講じている。
本発明にかかる椅子型マッサージ機は、座部と、当該座部の後側に設けられた背もたれ部と、前記座部の左右方向の両側に前後方向に伸びるように設けられる一対の肘掛け部と、当該肘掛け部に設けられ、手と前腕の全てを覆って保持すると共にマッサージを可能とする腕マッサージ部とを有する椅子型マッサージ機において、前記腕マッサージ部の後側には、前記手と前記前腕を挿入可能な開口部を有していて、前記腕マッサージ部は、上面部と、当該上面部に接続されて外側に垂れ下がる外側面部からなる逆Ｌ字状とされている保持部材と、当該保持部材の内側に形成される空間部分を覆うカバー体とを有し、前記保持部材の上面部の幅方向内縁乃至は前記内縁を幅方向内側に延長した部位と前記カバー体の上縁とにより、前後方向に延び且つ略上方を向く切り欠き部が形成され、前記切り欠き部を介して、前記腕マッサージ部内に挿入された前記手と前記前腕とが外部へ離脱可能とされていることを特徴とする。
【０００９】
好ましくは、前記腕マッサージ部は、前記保持部材と前記カバー体とにより、前記手と前記前腕の全てを覆う筒状の部材とされているとよい。
好ましくは、前記カバー体は、可撓性を有している部材で形成されていて、下縁が前記保持部材の外側面部の下縁側に接合されているとよい。
好ましくは、前記腕マッサージ部において、前記保持部材の上面部と外側面部及び前記カバー体の少なくとも一つ以上に、膨張・収縮可能なエアバッグが備えられているとよい。
【発明の効果】
【００１０】
本発明に係る椅子型マッサージ機によれば、手と前腕のマッサージ終了時において、腕マッサージ部内にされた手と前腕を、外部へスムーズ、且つ容易に離脱させることができる。
【図面の簡単な説明】
【００１１】
【図１】（ａ）は、本発明の椅子型マッサージ機の腕マッサージ部が格納位置にある場合を示す斜視図であり、（ｂ）は、本発明の椅子型マッサージ機の腕マッサージ部がマッサージ位置にある場合を示す斜視図である。
【図２】本発明の椅子型マッサージ機の腕マッサージ部に設けられていて、手と前腕を挿し込む開口部の概略を示す後方視の図である。
【図３】（ａ）は、腕マッサージ部に手と前腕を挿し込む前の状態を示す図であり、（ｂ）は、腕マッサージ部に手と前腕を挿し込んだ状態を示す図であり、（ｃ）は、腕マッサージ部から手と前腕を離脱させた状態を示す図である。
【図４】腕マッサージ部を前方から見た図である。
【図５】腕マッサージ部を斜め後方(背もたれ部）から見た図である。
【図６】腕マッサージ部を斜め前方から見た図である。
【図７】保持部材の形状を示す内部斜視図である（カバー体省略）。
【発明を実施するための形態】
【００１２】
以下、本発明にかかる椅子型マッサージ機１を図に基づいて説明する。
図１に示すように、椅子型マッサージ機１は、座部２と、座部２の左右方向の両側に前後方向に伸びるように設けられる肘掛け部３と、座部２の後側に設けられた背もたれ部４とを備えている。また、肘掛け部３には、腕のマッサージを可能とする腕マッサージ部５が設けられている。この腕マッサージ部５は、肘掛け部３に対して上下方向に移動自在とされている。
【００１３】
以下、図１（ａ）に示す如く、椅子型マッサージ機１に座った使用者（被マッサージ者）から見た前後方向を椅子型マッサージ機１を説明する際の前後方向と呼び、使用者から見た左右方向を椅子型マッサージ機１を説明する際の左右方向（幅方向）と呼ぶ。また、椅子型マッサージ機１に座った使用者から見た上下方向を椅子型マッサージ機１を説明する際の上下方向と呼ぶ。なお、使用者の施療部位に関しては、「腕」と呼ばれる部分のうち、手首から肘までを「前腕Ｖ」と呼び、手首から先の部分を「手Ｗ」と呼ぶ。
【００１４】
座部２は、使用者が着座可能なように平面視で矩形状に形成された部材である。座部２は、床面から上方に距離をあけて水平に座面が向くように取り付けられている。座部２の内部には、使用者の体重を支持できるように図示しないフレーム部材が設けられている。
また、座部２の上面側には、クッション部材が配備されていて使用者に良好な座り心地を提供できるようになっている。座部２の左側と右側には、肘掛け部３がそれぞれ設けられている。また、座部２の下側には、フットマッサージ部（図示せず）などを収容可能な空間が形成されている。
【００１５】
肘掛け部３は、床面に対して垂直に起立した板状の部材であって、座部２の左側と右側とに互いに距離を空けて且つ、座部２に隣接するように配備されている。肘掛け部３は、座部２の左側に配備される左肘掛け部３Ｌと、座部２の右側に配備される右肘掛け部３Ｒとで構成されている。
これらの左肘掛け部３Ｌ及び右肘掛け部３Ｒは、いずれも前後方向に伸びるように設けられている。また、左肘掛け部３Ｌ及び右肘掛け部３Ｒそれぞれの上面は、前腕Ｖ及び手Ｗを載せて支障なく伸ばすことができるような幅を有すると共に、前後方向になだらかに形成されている。
【００１６】
肘掛け部３の内部には、上下方向に向かって起立した支持フレーム６が設けられている。この支持フレーム６は、座部２のフレーム部材と直交状に連結固定されており、座部２に加わる使用者の体重を座部２のフレーム部材を介して支持できるようになっている。
背もたれ部４は、使用者がもたれ掛かれるように、座部２の後側に設けられている。背もたれ部４は、座部２の後側の支持フレーム６に対して左右方向を向く水平軸周りに揺動自在に枢支されている。背もたれ部４は、上下方向に沿って起立した起立姿勢と、後方に向かってほぼ水平に倒れ込んだリクライニング姿勢との間で、自由に傾斜できるようになっている。
【００１７】
図１〜図７に示すように、本発明の椅子型マッサージ機１には、使用者の手Ｗ及び前腕Ｖを確実にマッサージできる腕マッサージ部５（上肢マッサージ部）を備えられている。この腕マッサージ部５は、肘掛け部３内に格納（内蔵）されるようになっている。この腕マッサージ部５は、肘掛け部３の上面に前腕Ｖ及び手Ｗを載置する際に、邪魔になることがないようになっている。
【００１８】
腕マッサージ部５は、前後方向に沿って長尺状に形成された部材であって、左肘掛け部３Ｌの上部に配備される左腕マッサージ部５Ｌと、右肘掛け部３Ｒの上部に配備される右腕マッサージ部５Ｒとで構成されている。
腕マッサージ部５Ｒ，５Ｌの後端面には、肘掛け部３Ｒ，３Ｌの後方に向かって開口され、且つ手Ｗ及び前腕Ｖを前方に向かって挿し込むことができる開口部７が形成されている。
【００１９】
腕マッサージ部５Ｒ，５Ｌの内部には、開口部７から挿し込まれた手Ｗ及び前腕Ｖを収容可能な収容部８が設けられている。収容部８は、開口部７が設けられた後面以外（上面、前面、幅方向の内外側面）の壁面に囲まれている。
この収容部８には、エアバッグ（マッサージ用空気袋）が少なくとも一つ以上配備されており、収容部８内に挿し込まれた使用者の手Ｗ（手首から指先まで）や前腕Ｖを押圧マッサージできるようになっている。
【００２０】
このような構成を有する腕マッサージ部５Ｒ，５Ｌは、肘掛け部３Ｒ，３Ｌ内に収容された「格納位置」（図１（ａ）参照）と、肘掛け部３Ｒ，３Ｌから上方に突出して、開口部７からの手Ｗと前腕Ｖの挿し込みが可能とされると共に腕のマッサージが可能となる「マッサージ位置」（図１（ｂ）参照）との間で上下方向に移動自在とされている。
そして、これらの開口部７は、腕マッサージ部５Ｒ，５Ｌがマッサージ位置に移動したときに開口してマッサージが可能となる構成となっている。
【００２１】
具体的には、腕マッサージ部５Ｒ，５Ｌは、当該腕マッサージ部５Ｒ，５Ｌの先端部が肘掛け部３Ｒ，３Ｌに回動自在に枢支されていて、この肘掛け部３Ｒ，３Ｌに枢支された枢支軸９（幅方向を向く枢支軸９）の軸心回りに腕マッサージ部５Ｒ，５Ｌが前方回動自在で上下方向に移動可能とされている。
言い換えると、腕マッサージ部５Ｒ，５Ｌは、肘掛け部３Ｒ，３Ｌに枢支された先端部に対して後部側が上下方向に揺動する機構となっている。そして、腕マッサージ部５Ｒ，５Ｌは、先端部に対する後部側の上下揺動を利用して、格納位置とマッサージ位置との間で腕マッサージ部５Ｒ，５Ｌの移動を可能とする構成とされている。
【００２２】
以下の説明では、右腕マッサージ部５Ｒに着目して構造を説明する。
なお、左腕マッサージ部５Ｌは、右腕マッサージ部５Ｒを左右反転した配置で配備されていて、内部構造は略同様であるので、詳細な説明は省略する。
本発明は、右腕マッサージ部５Ｒの構成に、従来にはない特徴を備えている。
つまり、本発明の右腕マッサージ部５Ｒは、内部に挿入されている手Ｗと前腕Ｖに対して、マッサージが実施されているときには、その手Ｗと前腕Ｖの全体をしっかりと覆って保持し、マッサージが終了して手Ｗと前腕Ｖを離脱させるときには、素早く且つ容易に行うことができるものである。
【００２３】
右腕マッサージ部５Ｒの具体的な構成について説明する。
図２〜図７などに示すように、右腕マッサージ部５Ｒは、上面部１１と、当該上面部１１に接続されて外側に垂れ下がる外側面部１２からなる逆Ｌ字状とされている保持部材１０と、当該保持部材１０の逆Ｌ字状の内側に形成される空間部分を覆うカバー体１４とを有している。
【００２４】
保持部材１０は、前後方向に沿って長尺状に形成された略板状の上面部１１と、当該上面部１１と同じ長さを有し、その外縁側に接続されて鉛直方向に庇状に形成されている外側面部１２とを有している。言い換えれば、保持部材１０は、上面部１１に上下方向で対向する下面部を有さないものとなっている（図７参照）。
上面部１１は、長さが手Ｗの先から前腕Ｖの中途部までを覆う程度とされていて、幅が前腕Ｖの幅よりやや広いものとされている。外側面部１２は、手Ｗ及び前腕Ｖを十分に覆うことのできる大きさの面積を有している。
【００２５】
上面部１１と外側面部１２が合わさった先端、すなわち保持部材１０の先端は、手Ｗの先から甲側全体を覆うため、内側に回り込んで形成されている。この上面部１１と外側面部１２の内側に形成される空間は、手Ｗと前腕Ｖを収容する収容部８とされている。
つまり、保持部材１０は、手Ｗの甲側と前腕Ｖの上側と外側を覆うものである（図３（ｂ）参照）。
【００２６】
言い換えれば、保持部材１０は、幅（左右）方向断面視において、コ字状の一方側（下側）の片を完全に切り取って、下縁側に空間が形成された逆Ｌ字状とされている。この保持部材１０（上面部１１と外側面部１２）は、一体成形されていて、内部（収容部８）に手Ｗと前腕Ｖが挿入されるため、クッション材など柔らかい布材を備えられている。
なお、保持部材１０（上面部１１と外側面部１２）の材質については、プラスチックなどの硬質な部材を用いていると好ましい。
【００２７】
なお、本実施形態においては、上面部１１の下側壁面に、可撓性を有する上部覆い体１３を備えている。
上部覆い体１３は、上面部１１の長手方向中途部から少なくとも後端、好ましくはそれ以上の長さで且つ、上面部１１の幅より超える広さを有する部材である。つまり、上部覆い体１３は、肘までの前腕Ｖを覆う面積を有しているものである。
【００２８】
上部覆い体１３は、例えば、クッション材など柔らかい布材で形成されている。上部覆い体１３の内側（内縁１８側）は、後述するカバー体１４の上縁１９が接するようになっている。
つまり、本実施形態の保持部材１０は、上面部１１と外側面部１２からなる外枠体１４と、上部覆い体１３を有するものとしている。
【００２９】
なお、上部覆い体１３は、内縁１８を幅方向内側に延長した部位と考えることができ、この上部覆い体１３は、上面部１１のみならず、外側面部１２に回り込むように形成されていてもよい。すなわち、上部覆い体１３は、肘までの前腕Ｖの上側及び外側を覆うようにしてもよい。
カバー体１４は、保持部材１０の内側に形成される空間を閉塞するものであって、保持部材１０の先端から少なくとも後端、好ましくはそれ以上の長さを有している。
【００３０】
このカバー体１４は、手Ｗのひらと前腕Ｖの下側及び内側を覆うものである（図３（ｂ）参照）。
カバー体１４は、可撓性を有している部材で形成されていて、下縁が保持部材１０の外側面部１２の下縁側に接合されている。カバー体１４は、例えば、クッション材など柔らかい布材で形成されているとよい。
【００３１】
すなわち、カバー体１４は、下縁が外側面部１２の下縁の先端から後端まで接合され、保持部材１０の下縁を回り込んで上方に跳ね上がり、上縁１９が上部覆い体１３（上面部１１）の内縁１８側に接するように設けられている。
本実施形態においては、カバー体１４の上縁１９の先端〜長手方向中途部にかけては、上面部１１に接合されていて、長手方向中途部〜後端にかけては、上部覆い体１３（上面部１１）の内縁１８側に非接合状態で接している。
【００３２】
この非接合部分は、後ほど詳細に説明する切り欠き部１５である。なお、接合部分及び非接合部分の長さについては、任意に設定可能であるが、後方から１／３程度の長さが好ましい。
このカバー体１４は、下が尖った三角形状となるように、上縁１９が上部覆い体１３（上面部１１）の内縁１８側に非接合状態とされ、下縁が外側面部１２の下縁に接合されて取り付けられている（図２参照）。
【００３３】
すなわち、右腕マッサージ部５Ｒは、保持部材１０とカバー体１４とにより、手Ｗと前腕Ｖの全てを覆う収容部８を備えた筒状の部材とされている。
次に、本発明の特徴である右腕マッサージ部５Ｒに形成された切り欠き部１５ついて、図面を基に説明する。
切り欠き部１５は、保持部材１０の上面部１１の内縁１８とカバー体１４の上縁１９とにより、前後方向に延び、且つ、略上方を向いて形成されていて、挿し込まれたときの前腕Ｖに対応する部分が切り込まれている。
【００３４】
切り欠き部１５は、カバー体１４の上縁１９の長手方向中途部〜後端にかけて、上部覆い体１３（上面部１１）の内縁１８側に非接合で接しているにおいて、ほぼ直線状に形成されており、挿し込まれた手Ｗと前腕Ｖを座部２方向へ離脱するときにだけ幅方向に開口する（上部覆い体１３（上面部１１）の内縁１８とカバー体１４の上縁１９が離れて一定の空間ができる）ようになっている（図３（ｃ）参照）。
【００３５】
すなわち、手Ｗと前腕Ｖを右腕マッサージ部５Ｒ内に挿入してマッサージを実施しているときには、切り欠き部１５は開口しないようになっている。言い換えれば、切り欠き部１５は、元の位置（上部覆い体１３（上面部１１）の内縁１８とカバー体１４の上縁１９が接する状態）に戻る（図３（ａ）、（ｂ）など参照）。
つまり、保持部材１０の上面部１１の内縁１８（乃至は上部覆い体１３）とカバー体１４の上縁１９とにより、前後方向に延び且つ略上方を向く切り欠き部１５が形成されていて、その切り欠き部１５を介して、右腕マッサージ部５Ｒ内に挿入された手Ｗと前腕Ｖとが外部へ離脱可能とされている。
【００３６】
この切り欠き部１５については、例えば、挿し込まれた手Ｗ及び前腕Ｖを座部２方向へ離脱させるときにかかる力にのみ開くようにすればよい。また、挿し込まれた手Ｗ及び前腕Ｖを座部２方向へ離脱した後、切り欠き部１５は、自然に閉じるようになっていてもよい。
すなわち、切り欠き部１５は、挿し込まれた手Ｗ及び前腕Ｖを座部２方向へ離脱する過程において、柔軟に開閉するようになっている。
【００３７】
なお、本実施形態の切り欠き部１５は、右腕マッサージ部５Ｒの上部（保持部材１０の上面部１１）に形成されている。すなわち、切り欠き部１５は上方を向くように形成されており、幅方向において対向するものとはなっていない。
さて、使用者によっては、手Ｗの大きさや前腕Ｖの長さが異なってくる。手Ｗが大きい又は前腕Ｖが長い場合、右腕マッサージ部５Ｒ内に挿入すると、手先を曲げるなど窮屈になる。
【００３８】
そこで、本実施形態においては、切り欠き部１５の前方、すなわちカバー体１４の先端側に、手先逃がし部１６を設けている。
手先逃がし部１６は、上下方向にほぼ直線状に切り込まれたスリットであって、右腕マッサージ部５Ｒに挿し込まれたときに手先に相当する部分に形成されている。
手Ｗが大きい又は指が長い又は前腕Ｖが長い場合、手先逃がし部１６を介して手先を外部へ逃がすことができるので、右腕マッサージ部５Ｒの内部での窮屈さを解消することができる。
【００３９】
なお、上でも述べたが、左腕マッサージ部５Ｌの形成された切り欠き部１５及び手先逃がし部１６については、右腕マッサージ部５Ｒと同様であるので、説明は省略する。
さて、腕マッサージ部５においては、保持部材１０の上面部１１と外側面部１２、及び、カバー体１４の少なくとも一つ以上に、膨張・収縮可能なエアバッグ１７が備えられている。
【００４０】
例えば、保持部材１０の上面部１１（上部覆い体１３）にエアバッグ１７を一つ備え、カバー体１４にエアバッグ１７を一つ備えていてもよい。つまり、エアバッグ１７の配置については、任意に選択可能である。
このエアバッグ１７により、手Ｗと前腕Ｖに対してマッサージ動作が付与される。
以下に、本発明の作動態様について、述べる。
【００４１】
図３（ａ）は、右腕マッサージ部５Ｒに手Ｗと前腕Ｖを挿し込む前の状態を示す図であり、図３（ｂ）は、右腕マッサージ部５Ｒに手Ｗと前腕Ｖを挿し込んだ状態を示す図であり、図３（ｃ）は、右腕マッサージ部５Ｒから手Ｗと前腕Ｖを切り欠き部１５を介して離脱させた状態を示す図である。
図３（ａ）に示すように、逆Ｌ字状の保持部材１０とその保持部材１０の内側を覆うカバー体１４に囲まれる収容部８は、切り欠き部１５が閉じた状態であるので、開口部７のみが外部との連通状態となっている。
【００４２】
図３（ｂ）に示すように、開口部７から収容部８に手Ｗ及び前腕Ｖが挿し込まれると、手Ｗ及び前腕Ｖの全ては、逆Ｌ字状の保持部材１０とその保持部材１０の内側を覆うカバー体１４に覆われて保持されることとなる。つまり、マッサージ実施中には、切り欠き部１５は開口しない。なお、手先は、切り欠き部１５を介して、外部へ逃がされている。
図３（ｃ）に示すように、右腕マッサージ部５Ｒに挿し込んだ手Ｗ及び前腕Ｖを座部２方向（斜め上方向）へ離脱させようとすると、そのときにかかる力で切り欠き部１５が手Ｗ及び前腕Ｖが通過できるだけ開くようになり、離脱させることができる。
【００４３】
このように、右腕マッサージ部５Ｒ内に挿入された手Ｗと前腕Ｖとが、切り欠き部１５を介して、外部へ離脱可能となる。
なお、手Ｗと前腕Ｖの離脱が終わると、上部覆い体１３（上面部１１）の内縁１８とカバー体１４の上縁１９が接する状態、図３（ａ）の状態に、自動的に戻る。つまり、切り欠き部１５は、開いても一定時間が経つと、閉まるようになっている。
【００４４】
以上述べたように、本発明の椅子型マッサージ機１によれば、切り欠き部１５を設けていることにより、手Ｗと前腕Ｖのマッサージ終了時において、腕マッサージ部５内にされた手Ｗと前腕Ｖを、外部へスムーズ、且つ容易に離脱させることができる。
また、手Ｗと前腕Ｖのマッサージ時には、逆Ｌ字状の保持部材１０（上部覆い体１３も含む）とカバー体１４とに覆われ且つ、切り欠き部１５が閉じるようになっているので、腕マッサージ部５内において、手Ｗと前腕Ｖ全体に、良好なホールド感を与えることができる。
【００４５】
さらに、カバー体１４（腕マッサージ部５）に手先逃がし部１６を設けていることにより、使用者の手先を外部へ逃がすことができるので、腕マッサージ部５の内部での窮屈さを解消することができる。
また、保持部材１０は、下面部を有さない故に、上面部１１に設けられたエアバッグ１７と下面部との間で、前腕が過剰に挟み込まれることを回避することが可能となっている。
【００４６】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４７】
１    椅子型マッサージ機
２    座部
３    肘掛け部
３Ｌ  左肘掛け部
３Ｒ  右肘掛け部
４    背もたれ部
５    腕マッサージ部
５Ｌ  左腕マッサージ部
５Ｒ  右腕マッサージ部
６    支持フレーム
７    開口部
８    収容部
９    枢支軸
１０  保持部材
１１  上面部
１２  外側面部
１３  上部覆い体（内縁を幅方向内側に延長した部位）
１４  カバー体
１５  切り欠き部
１６  手先逃がし部
１７  エアバッグ
１８  内縁
１９  上縁
Ｖ    前腕
Ｗ    手
【図１】
2019063190.tif 000003
【図２】
2019063190.tif 000004
【図３】
2019063190.tif 000005
【図４】
2019063190.tif 000006
【図５】
2019063190.tif 000007
【図６】
2019063190.tif 000008
【図７】
2019063190.tif 000009